(57)【要約】【課題】  場所を選ばずに安価で使用することができる紫外線殺菌装置を提供する。【解決手段】  紫外線殺菌装置１は、筐体２のいずれか一方の端部に取り付けられた給気用のファン３と、給気用ファン３により筐体２内に給入された空気の流路に配設された紫外線の光源５及びフィルター４とからなる。光源５は、給気用ファン３とフィルター４との間に配設されていて、波長が２８０ｎｍ以下の１本の直管状のランプで形成されている。筐体２の内部には、光源５からの光を導光する反射板が光源５の周方向及び長手方向に沿って設けられており、反射板の反射面が光源５と対向するように配置されている。【選択図】  図２
0003221578.tif 000002
【実用新案登録請求の範囲】
【請求項１】
細長状の筐体と、
当該筐体のいずれか一方の端部に取り付けられた給気用のファンと、
当該ファンにより前記筐体内に給入された空気の流路に配設された紫外線の光源及びフィルターとからなること、
を特徴とする紫外線殺菌装置。
【請求項２】
前記フィルターは、前記筐体端部とは他方の筐体端部に取り付けられていること、
を特徴とする請求項１に記載の紫外線殺菌装置。
【請求項３】
前記筐体端部とは他方の筐体端部に排気用のファンが取り付けられていること、
を特徴とする請求項１に記載の紫外線殺菌装置。
【請求項４】
前記光源は、前記給気用ファンと前記フィルターとの間に配設されていること、
を特徴とする請求項１又は３に記載の紫外線殺菌装置。
【請求項５】
前記光源は、１本の直管状のランプで形成されていること、
を特徴とする請求項１から４までのいずれか１項に記載の紫外線殺菌装置。
【請求項６】
前記光源は、波長が２８０ｎｍ以下であること、
を特徴とする請求項１から５までのいずれか１項に記載の紫外線殺菌装置。
【請求項７】
前記筐体の内部には、前記光源からの光を導光する反射板が前記光源の周方向及び長手方向に沿って設けられており、当該反射板の反射面が前記光源と対向するように配置されていること、
を特徴とする請求項５又は６に記載の紫外線殺菌装置。
【考案の詳細な説明】
【技術分野】
【０００１】
本考案は、紫外線殺菌装置に関し、更に詳しくは空気中のカビや細菌、ウィルスを殺菌するのに好適な紫外線殺菌装置に関する。  
【背景技術】
【０００２】
従来より、空気中に浮遊する細菌やカビなどを除去する方法として、さまざまな方法が考案されているが、それらのうち、循環する空気に紫外線を照射することにより殺菌し、殺菌後の空気を室内に放出する空調システムが知られている（例えば特許文献１）。
【先行技術文献】
【特許文献】
【０００３】
特開２００５−１０６２９６
【考案の概要】
【考案が解決しようとする課題】
【０００４】
しかしながら、空調システムや空調機がない室内においては、紫外線の照射による室内の空気の殺菌は難しかった。また、装置が複雑かつ大きくなりがちで、設置スペースやコストの面から、導入が難しい場所があった。
【０００５】
本考案は上記の問題点に鑑みて考案されたもので、場所を選ばずに安価で使用することができる紫外線殺菌装置を提供するものである。
【課題を解決するための手段】
【０００６】
上記課題を解決するために、本考案に係る紫外線殺菌装置の第１の特徴は、細長状の筐体と、当該筐体のいずれか一方の端部に取り付けられた給気用のファンと、当該ファンにより前記筐体内に給入された空気の流路に配設された紫外線の光源及びフィルターとからなることにある。
【０００７】
また、本考案に係る紫外線殺菌装置の第２の特徴は、前記第１の特徴における前記フィルターが、前記筐体端部とは他方の筐体端部に取り付けられていることにある。
【０００８】
さらに、本考案に係る紫外線殺菌装置の第３の特徴は、前記第１の特徴における前記筐体端部とは他方の筐体端部に排気用のファンが取り付けられていることにある。
【０００９】
さらにまた、本考案に係る紫外線殺菌装置の第４の特徴は、前記第１又は第３の特徴における前記光源が、前記給気用ファンと前記フィルターとの間に配設されていることにある。
【００１０】
また、本考案に係る紫外線殺菌装置の第５の特徴は、前記第１から第４の特徴における前記光源が、１本の直管状のランプで形成されていることにある。
【００１１】
さらにまた、本考案に係る紫外線殺菌装置の第６の特徴は、前記第１から第５の特徴における前記光源の波長が２８０ｎｍ以下であることにある。
【００１２】
また、本考案に係る紫外線殺菌装置の第７の特徴は、前記第５又は第６の特徴における前記筐体の内部に、前記紫外線の光源からの光を導光する反射板が前記光源の周方向及び長手方向に沿って設けられており、当該反射板の反射面が前記光源と対向するように配置されていることにある。
【考案の効果】
【００１３】
本考案によれば、空調設備がないところでも空気中に浮遊する細菌やカビ、ウィルスなどを人体に安全な方法で殺菌することができるので、病院、クリニック（特に透析施設）や食品工場のような衛生に注意が必要な場所での使用に適している。また、大きなスペースを必要とせず、コストを低く抑えて製造することができるので、一般家庭でも使用が可能である。
【図面の簡単な説明】
【００１４】
【図１】図１は、本考案に係る紫外線殺菌装置の正面図である。
【図２】図２は、実施例１における紫外線殺菌装置の底板部内の状態を簡易に表した平面図である。
【考案を実施するための形態】
【００１５】
以下、実施例を例に図面を参照して本考案の実施形態を説明する。
【実施例１】
【００１６】
図中、１は紫外線殺菌装置であり、２は紫外線殺菌装置１のカバーケースである筐体であって細長上に形成されている。筐体２は、基板となる底板部２ａと、底板部２ａの上部を被覆固定して筐体を形成する上蓋部２ｂとから構成され、縦断面略四角筒状体になっている。また筐体２は、内部で放射される強力な紫外線による目や皮膚の炎症等身体に受けるダメージを防止するため、紫外線が筐体２外部に漏れないよう遮蔽構造になっている。
【００１７】
図２は、上蓋部２ｂを取り外した状態の底板部２ａ内の構成を簡易に示した平面図であり、底板部２ａの一方の端部（図面上の左側）には、殺菌装置１内に空気を給入するためのファン３が設けられている。また、他方の端部（図面上の右側）には、フィルター４が設けられており、空気中のホコリやチリ等のゴミを濾過して、殺菌装置１内に給入された空気を殺菌装置１外に放出するようになっている。フィルター４は、特に材質は問わないが、紫外線照射により生じる可能性のあるオゾンを吸着・分解するオゾンフィルターを使用することが望ましい。給気ファン３及びフィルター４は、筐体２の略断面四角筒状体の開口端部をそれぞれ遮蔽するように形成されている。
【００１８】
また、底板部２ａ上のファン３とフィルター４との間には、筐体２の形状に沿った直管状の紫外線ランプ５が、底板部２ａに配設されたソケット６、６によりその両端部が支持固定されることによって取り付けられている。紫外線ランプ５は、紫外線の光源であり、紫外線の照射により空気中に浮遊する細菌、ウィルス、カビ、バクテリア等を殺菌、滅菌するものである。紫外線ランプ５の紫外線の波長は、ＵＶＣと呼ばれる２８０ｎｍ未満のものであり、ＵＶＣのランプを使用することにより強い殺菌効果を得ることができる。紫外線ランプ５は、例えば石英ガラスやフッ化カルシウム、フッ化マグネシウムなどの素材を使用することが望ましい。
【００１９】
底板部２ａと紫外線ランプ５との間には、紫外線の反射効率を上げるため、反射板（図示せず）が設けられることが望ましい。反射板は、紫外線ランプ５の長さ方向に沿って横長状に配設され、紫外線ランプ５の周方向に沿って略半円形状に湾曲した矩形曲板状のアルミニウム製の凹平面鏡からなっていて、反射板の反射面が紫外線ランプ５と対向するように配置されるのが好適である。
【００２０】
殺菌装置１は、底板部２ａを壁や天井等に取り付けた後、上蓋部２ｂで被覆することにより設置される。底板部２ａと上蓋部２ｂとは、図示の例では筐体２の正面においてネジ２ｃにより固定されている。図２中、矢印は空気の流れる方向を示しており、殺菌装置１又は外部に形成されたスイッチ（図示せず）により殺菌装置１が作動すると、空気が給気ファン３により殺菌装置１内に給入され、紫外線ランプ５による紫外線の照射によって空気中の細菌、ウィルス、カビ、バクテリア、微生物等のＤＮＡが破壊され、これらの死骸やホコリ等がフィルター４で濾過されて、カビやウィルス、バクテリア、微生物などが除去された清浄な空気が殺菌装置１外へと放出される。
【００２１】
紫外線に照射された空気は、カビや細菌のえさとなる微生物を減らすので、室内のカビの増殖を抑えることができるとともに、殺菌装置１によって清浄化された空気は、インフルエンザなどの感染症を防ぎ、病院などでの院内感染を防止することが可能となる。
【００２２】
【表１】
0003221578.tif 000003
【００２３】
表１は、ある室内（１７立方メートル）において殺菌装置１を使用する前、使用開始２４時間後、使用開始４８時間後の一般細菌（バクテリア）と真菌（カビ）の空気中に含まれる菌量を調査した調査結果である。表中、Ｂはバクテリアを示し、Ｆはカビを示している。この表からも明らかなように、殺菌装置１の使用後では、バクテリアやカビの菌量は劇的に数値が減少しており、殺菌装置１の顕著な殺菌効果が確認できる。
【実施例２】
【００２４】
なお、図示していないが、殺菌装置１内の空気を外に放出するための排気用ファンを底板部２ａの右端に設置し、フィルター４を当該排気用ファンと給気ファン３との間に配することも可能である。これにより、殺菌装置１内で殺菌された空気がスムーズに排出され、部屋の循環が効率よく行われる。
【００２５】
以上、本考案の実施例につき図面など参照して詳細に説明したが、本考案はこれに限定されず、実用新案登録請求の範囲に記載した構成の範囲内において様々な態様で実施することができる。
【産業上の利用可能性】
【００２６】
本願考案に紫外線殺菌装置は、およそ空気の清浄に必要な場所において使用することができ、上記で掲げた施設の他、例えば各種研究施設の室内や廊下、老人ホーム、学校、幼稚園、保育園、厨房などの施設において特に有用である。
【符号の説明】
【００２７】
１    紫外線殺菌装置
２    筐体
２ａ  底板部
２ｂ  上蓋部
２ｃ  ネジ
３    給気用ファン
４    フィルター
５    紫外線ランプ
６    ソケット
【図１】
0003221578.tif 000004
【図２】
0003221578.tif 000005